(57)【特許請求の範囲】
【請求項１】
複数種類の記録媒体の装填を受け付ける映像記録装置であって、
映像信号を再生専用媒体と互換性のある第１フォーマットまたは再生専用媒体と互換性のない第２フォーマットの記録フォーマットに変換する記録データ処理手段と、
装填された記録媒体の種類を検知する媒体検知手段と、
前記記録データ処理手段により前記映像信号が第１フォーマットの記録フォーマットに変換され記録される第一の記録モードと、前記記録データ処理手段により前記映像信号が第２フォーマットの記録フォーマットに変換され記録される第二の記録モードのうち一方を選択する選択手段と、
装填された記録媒体が、前記媒体検知手段により書き換え可能な書換型記録媒体と検知されたとき、前記記録データ処理手段により前記映像信号が第１フォーマットの記録フォーマットに変換され記録される前記第一の記録モード及び第２フォーマットの記録フォーマットに変換され記録される前記第二の記録モードのうち前記選択手段により選択されたいずれの記録モードでも記録を許可し、前記媒体検知手段により１回のみの追記型記録媒体と検知されたとき、前記記録データ処理手段により前記映像信号が再生専用媒体と互換性のない第２フォーマットの記録フォーマットに変換され記録される前記第二の記録モードで記録をすることが出来ないよう制限する制御手段と、
を有することを特徴とする映像記録装置。
【請求項２】
複数種類の記録媒体の装填を受け付ける映像記録装置であって、
映像信号を再生専用媒体と互換性のある第１フォーマットまたは再生専用媒体と互換性のない第２フォーマットの記録フォーマット処理に変換する記録データ処理手段と、
装填された記録媒体の種類を検知する媒体検知手段と、
前記記録データ処理手段により前記映像信号が第１フォーマットの記録フォーマットに変換され記録される第一の記録モード、又は前記記録データ処理手段により前記映像信号が第２フォーマットの記録フォーマットに変換され記録される第二の記録モードで、装填された記録媒体へ映像信号を記録する記録手段と、
装填された記録媒体が、前記媒体検知手段により書き換え可能な書換型記録媒体と検知されたとき、前記記録データ処理手段により前記映像信号が第１フォーマットまたは第２フォーマットの記録フォーマットに変換され記録される前記第一及び第二の記録モードいずれの記録モードでも前記記録手段による記録を許可し、前記媒体検知手段により１回のみの追記型記録媒体と検知されたとき、前記記録データ処理手段により前記映像信号が再生専用媒体と互換性のない第２フォーマットの記録フォーマットに変換され記録される前記第二の記録モードで前記記録手段による記録をすることが出来ないよう制限する制御手段と、
を有すること特徴とする映像記録装置。
【請求項３】
複数種類の記録媒体の装填を受け付ける映像記録装置であって、
映像信号をビデオフォーマットまたはビデオレコーディングフォーマットの記録フォーマット処理に変換する記録データ処理手段と、
装填された記録媒体の種類を検知する媒体検知手段と、
前記記録データ処理手段により前記映像信号がビデオフォーマットの記録フォーマットに変換され記録される第一の記録モードと、前記記録データ処理手段により前記映像信号がビデオレコーディングフォーマットの記録フォーマットに変換され記録される第二の記録モードのうち一方を選択する選択手段と、
装填された記録媒体が、前記媒体検知手段によりＤＶＤ−ＲＷと検知されたとき、前記記録データ処理手段により前記映像信号がビデオフォーマットの記録フォーマットに変換され記録される前記第一の記録モード及びビデオレコーディングフォーマットの記録フォーマットに変換され記録される前記第二の記録モードのうち前記選択手段により選択されたいずれの記録モードでも記録を許可し、前記媒体検知手段によりＤＶＤ−Ｒと検知されたとき、前記記録データ処理手段により前記映像信号がビデオレコーディングフォーマットの記録フォーマットに変換され記録される前記第二の記録モードで記録をすることが出来ないよう制限する制御手段と、
を有することを特徴とする映像記録装置。
【請求項４】
複数種類の記録媒体の装填を受け付ける映像記録装置であって、
映像信号をビデオフォーマットまたはビデオレコーディングフォーマットの記録フォーマット処理に変換する記録データ処理手段と、
装填された記録媒体の種類を検知する媒体検知手段と、
前記記録データ処理手段により前記映像信号がビデオフォーマットの記録フォーマットに変換され記録される第一の記録モード、又は前記記録データ処理手段により前記映像信号がビデオレコーディングフォーマットの記録フォーマットに変換され記録される第二の記録モードで、装填された記録媒体へ記録する記録手段と、
装填された記録媒体が、前記媒体検知手段によりＤＶＤ−ＲＷと検知されたとき、前記記録データ処理手段により前記映像信号がビデオフォーマットまたはビデオレコーディングフォーマットの記録フォーマットに変換され記録される前記第一及び第二の記録モードいずれの記録モードでも前記記録手段による記録を許可し、前記媒体検知手段によりＤＶＤ−Ｒと検知されたとき、前記記録データ処理手段により前記映像信号がビデオレコーディングフォーマットの記録フォーマットに変換され記録される前記第二の記録モードで前記記録手段による記録をすることが出来ないよう制限する制御手段と、
を有すること特徴とする映像記録装置。
【請求項５】
請求項１から４のいずれか１項に記載の映像記録装置であって、
前記映像信号は撮像センサーとその出力信号を処理する信号処理回路から成るカメラ部から得られることを特徴とするカメラ一体型の映像記録装置。
【請求項６】
請求項１から４のいずれか１項に記載の映像記録装置であって、
前記映像信号はテレビ放送信号であることを特徴とする映像記録装置。
【請求項７】
請求項１から６のいずれか１項に記載の映像記録装置であって、
前記映像信号の記録データ処理手段は、他の記録デジタルメディアからの信号を一旦デコードした後、再エンコードする手段を含むことを特徴とする映像記録装置。
【発明の詳細な説明】
【技術分野】
【０００１】
本発明は、映像情報を記録再生する映像記録装置に関する。
【背景技術】
【０００２】
従来、映像情報をディスク形状の記録メディアに記録する方法として、リアルタイムでビデオ記録をし、記録後簡単に編集処理ができるアプリケーションとして、リアルタイムのビデオレコーディングフォーマットがある。これは、ＴＶ放送等が放送と同時に録画でき、また、録画後の編集、消去が安易にできる規格となっている。
【０００３】
一方、市販ＤＶＤプレーヤで見ることを前提とした市販ソフトに採用されているビデオフォーマットは、記録前に編集処理することを前提に考えられた為に、前記ビデオレコーディングフォーマットとは異なる。このため、前記ビデオレコーディングフォーマットで記録されたディスクは市販のＤＶＤプレーヤで見ることが出来ないという問題がある。
【０００４】
また、映像情報のディジタル化として、ＭＰＥＧ圧縮方式が確立されつつあるが、可変ビットレート／固定ビットレートやビットレートの２.０Ｍｂｐｓから１０Ｍｂｐｓ程度までの設定など記録モードの選択が多数ある。
【０００５】
一方で、記録メディアもＤＶＤ−ＲＡＭ、ＤＶＤ−ＲＷ、ＤＶＤ−Ｒなど色々なメディアが選択可能になりつつある。
【０００６】
尚、この種の記録再生装置の例として、例えば、特開２００１-３６８６１や特開２０００−３２２７４２等が挙げられる。
【０００７】
【特許文献１】特開２００１-３６８６１号公報
【特許文献２】特開２０００−３２２７４２号公報
【発明の開示】
【発明が解決しようとする課題】
【０００９】
本発明の目的は、例えば、装填可能な複数の記録メディアに対応することで、各記録メディアに応じた多くの記録モードの選択を自動的に設定等することで、より簡単な操作で最適な記録モードの設定又は記録を可能にすることにある。
【課題を解決するための手段】
【００１４】
上記目的を達成する為に、例えば、特許請求の範囲に記載の構成を採用する。
【発明の効果】
【００３４】
本発明によれば、画質（平均ビットレート）の選択が、装填する記録メディアに応じて、より簡単な操作で行えると言う効果を有する。
【発明を実施するための最良の形態】
【００３６】
以下、本発明の実施例を図１により説明する。図１はディスク記録媒体を用いたカメラ一体型記録再生装置を示すものである。図１において、１はマイク、２はオーディオ入力処理回路、３はオーディオ出力回路、４は音声出力端子、５はレンズユニット、６は撮像センサー（ＣＣＤ）、７はカメラ映像信号処理回路、８は映像／音声の圧縮／伸張処理回路、９は映像表示／出力処理回路、１０は表示手段（ＬＣＤ）、１１はレンズユニット５のドライバ、１２はデジタル音声／映像入力端子、１３はデジタルインターフェース処理回路、１４はデジタル出力端子、１５はＤ−ＲＡＭ、１６は装置全体の制御マイコン、１７はフラッシュメモリ（Ｆ−ＲＡＭ）、１８は装置の操作スイッチ（ＳＷ），１９はインターフェース回路、２０は外部電源入力端子、２１は充電回路、２２はバッテリー、２３は電源回路（ＤＣ−ＤＣコンバータ）、２４はディスクメディアの信号／制御処理回路、２５はＤ−ＲＡＭ、２６はＳ−ＲＡＭ、２７はフラッシュメモリ（Ｆ−ＲＡＭ）、２８は記録再生部の制御マイコン、２９は記録回路、３０は再生回路、３１はメディアへ記録再生を行うピックアップ、３２はディスクメディア、３３はスピンドルモータ、３４はピックアップ３１をディスクメディア上を移動させる送りモータ、３５はスピンドルモータ３３と送りモータ３４とピックアップ３１内のフォーカス方向およびトラッキング方向のアクチュエータ（図示せず）を、それぞれ駆動するアクチュエータドライバ、３６は映像出力端子をそれぞれ示す。
【００３７】
ここで、まずカメラ部の動作を説明する。画像情報はレンズユニット５を介して、撮像センサー６にて電気信号に変換され、カメラ映像信号処理回路７にて映像信号に変換される。一方、音声はマイク１を介して、オーディオ入力処理回路２にて音声信号に変換される。これらの信号は映像／音声の圧縮／伸張処理回路８にて、デジタル映像／音声圧縮信号に変換される。圧縮方式としては動画を扱うＭＰＥＧ方式や静止画を扱うＪＰＥＧ方式などを実施する。また、デジタル音声／映像入力端子１２より、外部からの入力情報を切り替えて扱う事も出来る。
【００３８】
一方、出力手段としては、前記映像／音声の圧縮／伸張処理回路８から音声信号はオーディオ出力回路３を介して音声出力端子４に出力される。また、映像信号は映像表示／出力処理回路９を介して表示手段１０にて表示すると同時に、映像出力端子３６より出力される。さらに、デジタルインターフェース処理回路１３を介してデジタル出力端子１４よりデジタル映像／音声信号を出力する。ここでは、映像／音声の圧縮／伸張処理回路８を介して入力信号と出力信号を説明したが、これらの出力信号は必ずしも音声信号および映像信号とも圧縮／伸張処理を施す必要はないことは言うまでもない。
【００３９】
また、これらの手段は使用者が操作スイッチ１８を操作することにより動作する。操作スイッチ１８の出力は装置全体の制御マイコン１６に入力される。制御マイコン１６はドライバ１１を介してレンズユニット５を制御して被写体を撮像センサー６上に希望の画像を捕らえる。また、映像／音声の圧縮／伸張処理回路８にて、動画や静止画をデジタル信号に圧縮してＤ−ＲＡＭ１５に一時記憶するように制御する。これらの信号は、インターフェース回路１９を介して、ディスク型記録再生装置の信号／制御処理回路２４へ送られる。このインターフェース回路としては、たとえばＡＴＡＰＩ規格等が採用される。また、フラッシュメモリ１７は、制御マイコン１６を動作するプログラム等を記憶するメモリである。
【００４０】
ディスク型記録再生装置は、入力されて動画または静止画情報を信号／制御処理回路２４とＤ−ＲＡＭ２５にてディスクメディアに応じた記録フォーマットに変換し、記録回路２９、ピックアップ３１を介してディスクメディア３２に記録する。また、このディスクメディア３２とピックアップ３１の相対位置は、ピックアップ３１を時分割にて再生動作して、ディスクメディア３２上から予め書き込まれた位置情報を再生回路３０を介して検出し、信号／制御処理回路２４および制御マイコン２８にて処理し、アクチュエータドライバ３５を介して、各アクチュエータであるスピンドルモータ３３と送りモータ３４および図示していないがピックアップ３１内にあるフォーカス及びトラッキングを制御するアクチュエータを駆動する。ちなみに、Ｓ−ＲＡＭ２６およびフラッシュメモリ２７は制御マイコン２８の演算データの一時記憶やプログラム等を記憶する。
【００４１】
また、本装置は、外部電源入力端子２０から供給される電源またはこの電源にて充電回路２１を活用して充電されたバッテリー２２の電源を電源回路２３にて必要な各部への電源を供給している。
【００４２】
以上、記録動作について述べてが、再生時にはほぼこれらの反対の動作が行われる。すなわち、ディスクメディア３２からピックアップ３１および再生回路３０を介してディスクメディア３２上の情報を検出し、信号／制御処理回路２４および制御マイコン２８によりディスクメディアに応じた記録フォーマットを復調し、インターフェース回路１９を介して映像／音声の圧縮／伸張処理回路８へ戻し、ここで、圧縮された映像信号および音声信号を伸張して、映像表示／出力処理回路９やオーディオ出力回路３を介して表示手段１０および音声出力端子４と映像出力端子３６に出力する。また、伸張する前の情報をデジタルインターフェース処理回路１３を介してデジタル出力端子１４に出力する。
【００４３】
ここで、映像信号を扱うディスクメディア３２としては、たとえば、表１に示すようなものがある。再生専用としてＤＶＤ−ＲＯＭ、１回のみの追記型としてＤＶＤ−Ｒ、書き換え可能なメディアとしてＤＶＤ−ＲＷおよびＤＶＤ−ＲＡＭがある。そして、記録フォーマットとしては、たとえば、ビデオフォーマット（DVD Video format）とビデオレコーディングフォーマット（Video recording format）が提案されている。
【００４４】
【表１】
0004438889.tif 000002
【００４５】
ビデオフォーマットは、映画等の事前に充分に編集処理された映像情報を、たとえばマルチアングルやパレンタル再生、ランダム・シャッフル再生などの独自の機能を実現したり、早送り、巻き戻しなどの特殊再生をサポートするための強力な情報データを持っている。
【００４６】
また、ビデオレコーディングフォーマットは、この書き換え型ディスクを前提に編集処理を経ずにリアルタイムでビデオ信号記録をし、記録後簡単に編集処理ができるアプリケーションを考慮している。しかし、このビデオレコーディングフォーマットで記録された信号は、先のビデオフォーマットで記録された再生専用ディスクを再生する為の多くのＤＶＤプレーヤでは再生できないものが多いと言う問題がある。
【００４７】
この問題は、特にビデオカメラにおいてディスクメディアに記録する際に、書き換え型ディスクであるＤＶＤ−ＲＷやＤＶＤ−ＲＡＭでは、一旦、ビデオレコーディングフォーマットで記録した後、編集作業を行い再びビデオフォーマットに変換して再記録する事で解決できるが、１回のみの追記型ディスクであるＤＶＤ−Ｒディスクではビデオレコーディングフォーマットで１度記録してしまうと、再度書き換える事が出来ずそのディスクは上記多くのＤＶＤプレーヤで再生する事は出来ない。
【００４８】
そこで、本実施例のひとつの特徴を図２を用いて説明する。すなわち、本装置に装填されたディスクメディアを判別し、そのディスクメディアがＤＶＤ−Ｒと判別された場合には、自動的にビデオフォーマットで記録するモードを選択する。また、ＤＶＤ−ＲＡＭなどの書き換え型ディスクメディアに対しては、自動的にビデオレコーディングフォーマットにて記録するモードを選択する。
【００４９】
この判別手段の一例として、表２に各メディアの判断情報の例を示す。たとえば、映像信号を扱える物として、書き換え耐力が１０万回を想定する第１世代のＤＶＤ−ＲＡＭディスク（２．６ＧＢ容量）や第２世代のＤＶＤ−ＲＡＭ（４．７ＧＢ容量）は、反射率が１５〜２５％であり、書き換え耐力が１０００回程度を予測するＤＶＤ−ＲＷディスクは反射率が１８〜３０％であるのに対して、１回のみ記録の追記型ＤＶＤ−Ｒディスクは反射率が４５〜８５％と大きく両者を判別する情報となりえる。また、各ディスクにはコントロールデータとして異なる情報が予め書き込まれており、この情報を検出することで、より正確な判別が可能である。
【００５０】
【表２】
0004438889.tif 000003
【００５１】
これらの検出は、図１のピックアップ３１および再生回路３０を介して、ディスクメディア３２上から表２に示す各パラメータを検出する事により判別する。たとえば、ディスク面にピックアップ３１からレーザを光照射してその反射率を測定して判別する。また、最終的にはディスク内周側（通常、リードイン領域と呼ばれる）に記録されている各ディスクごとに異なるコントロールデータを検出して判断する。
【００５２】
また、他の方法例を図３に示す。同図では、メディア判別を行いＤＶＤ−Ｒメディアに対しては、図２と同様に処理し、ＤＶＤ−ＲＡＭに関しては、自動的にビデオレコーディングフォーマットで記録するモードを選択し、ＤＶＤ−ＲＷに対しては、予めメニューモード等にて使用者が選択した記録モードに従いビデオフォーマットまたはビデオレコーディングフォーマットで記録するモードを選択するものである。このようにする事で、使用者は装置へ装填するメディアにより自動的に記録フォーマットが決まるために、誤って希望の記録フォーマットで記録できないと言う問題が解消される。また、記録動作を行う際に、いちいち記録フォーマットを確認する必要がなくなる。また、使用者の選択希望をたとえば、同図のようにＤＶＤ−ＲＷディスクに対してのみ残す事により、使用者の選択も可能とする。
【００５３】
また。他の方法例を図４に示す。同図では、上記図３に対してＤＶＤ−ＲＷのみではなくＤＶＤ−ＲＡＭメディアに対しても使用者の記録フォーマット選択を可能としたものである。
【００５４】
上記した如く、少なくとも、1回のみの追記型記録メディア（ＤＶＤ−Ｒ）に対しては、自動的にビデオフォーマットで記録するモードを選択することで、使用範囲を限定すると同時に、使用者が誤った記録フォーマットを選択する可能性をなくすることが出来る。
【００５５】
次に、他の記録パラメータの選択手段について図５を用いて説明する。本装置に装填されたディスクメディアを判別し、そのディスクメディアがＤＶＤ−Ｒと判別された場合には、自動的に固定ビットレートの画像圧縮モードを選択する。また、ＤＶＤ−ＲＡＭおよびＤＶＤ−ＲＷと判別された場合には、自動的に可変ビットレートの画像圧縮モードを選択するものである。ここで、ディスクメディアの判別方法は、上記図２で記載したものと同じである。
【００５６】
これらの選択モードは、図１の映像／音声の圧縮／伸張処理回路８にて切り換えられる。撮像センサー６を介してカメラ映像信号処理回路７にて処理された映像信号をどのような情報として記録再生装置に記録するかを選択する記録モードを表３に纏める。
【００５７】
【表３】
0004438889.tif 000004
【００５８】
ビデオカメラとして、静止画記録（たとえば、ＪＰＥＧ圧縮）や動画記録（たとえば、ＭＰＥＧ圧縮）の選択が可能である。これらの動作は、操作スイッチ１８として、たとえば動画撮影用「録画」ボタンと静止画撮影用「フォト」ボタンを設け、この操作を制御マイコン１６が検出し、上記映像／音声の圧縮／伸張処理回路８に切換信号を供給することにより実現する。次に、動画モードにおいても、高画質な記録を可能にする為に高ビットレート（表３では、１０Ｍｂｐｓ）、と標準画質で長時間記録できる低ビットレート（表３では、６Ｍｂｐｓ）の選択がある。また、高画質と長時間記録を両立する為に、撮影画像に情報量が多い（複雑なパターンで、動きの多い映像など）場合には圧縮率を下げ、情報量が少ない（単純なパターンで動きが少ない映像など）場合には圧縮率を上げて、出力ビットレートは変化するが画質は常に高画質を維持する可変ビットレートの圧縮モードがある。
【００５９】
以上の如く、画像圧縮方法のパラメータも多く、これらを使用者が常に最適に選択することは難しい。一般には、上記操作スイッチ１８および制御マイコン１６と表示手段１０を使用して、選択可能なメニュー画面操作を提供している。しかし、これらの設定も上記した記録フォーマットと同様に（より以上に複雑である）、煩雑であり誤って使用する可能性が高い。
【００６０】
図５では、先ず装填するディスクメディアの種類によって、使用する動画撮影の固定ビットレートおよび可変ビットレートの選択を自動的に決定した。ここで、特に１回のみの追記型ディスク（ＤＶＤ−Ｒ）メディアでは、先に記載したようにビデオフォーマットで記載することが考えられる。このビデオフォーマットでは、たとえば前記したサーチ情報として０.５秒から２分前と０.５秒から２分先の映像データの記録アドレス書き込むことにより再生時のサーチ再生を正確に実現している。しかし、可変ビットレートでこれを実現しようとすると上記の前後２分間分の映像情報を一旦バッファメモリに蓄える必要があり、Ｄ−ＲＡＭ１５またはＤ−ＲＡＭ２５が非常に大容量な物が必要となり、携帯機器を前提としたビデオカメラには適していない。そこで、固定ビットレートを採用することで、たとえば２分前および２分後の記録アドレスを一定間隔にする事で上記大容量のバッファメモリを削除することが出来る。また、書換可能な記録メディア（ＤＶＤ−ＲＡＭおよびＤＶＤ−ＲＷなど）に対しては、先に記載したようにビデオレコーディングフォーマットを採用することが考えられ、高画質を目指した可変ビットレートを採用する。
【００６１】
また、別な選択手段の一実施例を図６に示す。本図と図５の違いは、書換可能な記録メディア（ＤＶＤ−ＲＡＭおよびＤＶＤ−ＲＷなど）に対して可変ビットレートを自動選択した後、平均ビットレートを高画質モード（１０Ｍｂｐｓ）と標準モード（６Ｍｂｐｓ）の選択のみを前記した一般的なメニュー選択に任せる物である。平均ビットレートは上記した２つのモードに限定されるものではなくかなり自由に設定可能であり、且つ他のパラメータほど大きな方式変更ではない為に、メニュー選択を用いて誤った操作をした場合にも比較的被害が少ないと考えられるからである。
【００６２】
次に、別な一実施例を図７に示す。同図では、装填された記録メディアを判別し、１回のみ記録の追記型メディア（ＤＶＤ−Ｒ）に対しては、動画記録のみ（静止画記録を行わない）に制限するシステムを実施する。これは、書き換え型記録メディア（ＤＶＤ−ＲＡＭおよびＤＶＤ−ＲＷなど）に対しては、先に記載したように、たとえばビデオレコーディングフォーマットを使用して記録し、後からプレイリスト機能を使用して、再生プログラム（シーン）の切り出しを行い、好きなプログラム（シーン）を組み合わせたプレイリストを上記書き換え型記録メディアに記録／変更することが出来る。このため、動画と静止画を混同して１枚のディスク状に記録しても使い勝手上大きな問題となりにくい。しかし、１回のみ記録の追記型ディスクでは、このようなプレイリストに当たるデータを後から追加変更するような使い方は適さない。すなわち、このようなデータを入れる容量を事前にディスク上に確保する必要があり、且つ書き換えが出来ない為にこの容量値が有限となり、使用者の活用条件を制限することに成る。そこで、１回のみ記録の追記型記録メディアに対しては、静止画記録を禁止して、動画記録のみとする。一方、書き換え型記録メディアに対しては静止画記録と動画記録の混在を可能とする。この静止画記録を制限する手段は、前記メディア判別を制御マイコン２８にて検出し、この結果を信号／制御処理回路２４、インターフェース回路１９を介して装置全体の制御マイコン１６に伝達し、操作スイッチ１８内の静止画撮影用「フォト」ボタンの操作を受け付けなくすることで実現する。
【００６３】
ここでは、静止画撮影を禁止すると言う実施例を記載したが、反対に、あるメディア（たとえば、ＤＶＤ−ＲＷ）においては、動画撮影を禁止することにより、使い勝手を向上することを行っても良い。
【００６４】
また、ここでいう静止画はＪＰＥＧ圧縮画像のみでなく、ＭＰＥＧ圧縮のＩピクチャーのみを使用した静止画に付いても同様であることは言うまでもない。
【００６５】
次に、上記静止画記録の制限を表示する一実施例を図８に示す。同図は操作スイッチ１８および制御マイコン１６の具体的な構成例を示す。同図で、３７は「録画」ボタン、３８は「フォト」ボタン、３９・４０は表示手段（ＬＥＤ）を示す。先に記載した図７のにおいて、記録メディアが１回のみ記録の追記型記録メディア（ＤＶＤ−Ｒ）とステップ１５２（ＳＴ１５２）で判別された場合には、ステップ１５３（ＳＴ１５３）にて、前記制御マイコンより「録画」ボタンに対応する表示手段３９のみを点灯し、「フォト」ボタンに対応する表示手段４０を消灯して、使用者に「フォト」ボタン操作による静止画撮影が行えないことは伝える手段を設ける。同様に、ステップ１５２（ＳＴ１５２）にて、書き換え記録メディアと判断された場合には、ステップ１５４（ＳＴ１５４）にて、前記制御マイコンより「録画」ボタンおよび「フォト」ボタンに対応する表示手段３９・４０を点灯して、動画撮影および静止画撮影が行えることを伝える。
【００６６】
また、他の一実施例を図９、図１０に示す。本構成は、上記表示手段３９・４０を、前記制御マイコン１６から映像／音声の圧縮／伸張処理回路８および映像表示／出力処理回路９を介して表示手段（ＬＣＤ）１０にて表示する方法である。４１・４２は本表示手段（ＬＣＤ）１０の表示画面を示す。すなわち、静止画撮影および動画撮影が可能な記録メディアが装填された時には、図９に示す表示画面４１が表示され、動画撮影のみを可能とする記録メディアが装填された場合には、図１０に示す表示画面４２が表示される。
【００６７】
また、図８の一実施例と図９・図１０の一実施例は同時に両方を用いても良い。
【００６８】
次に、本発明の別な一実施例を図１１を用いて説明する。同図において、図１の構成と同一および同等機能部分には同一符号を記載する。４３は音声入力端子、４４は映像入力端子、４５は放送信号受信用のチューナ、４６は映像入力処理回路、４７は音声／映像信号の圧縮／伸張処理回路、４８は映像出力処理回路、４９は操作スイッチ、５０は制御マイコン、５１はインターフェース回路、５２はハードディスクドライブ（ＨＤＤ）、５３は電源回路をそれぞれ示す。
【００６９】
本実施例が、図１に示す実施例と異なる点は、カメラ撮影信号のみではなく、外部入力信号として音声入力端子４３および映像入力端子４４から入力される第１の入力信号、放送信号を受信するチューナから出力される第２の入力信号、デジタル音声／映像入力端子１２から入力される第３の入力信号、および他の記録メディアであるハードディスクドライブ（ＨＤＤ）からの再生される第４の入力信号等に対しても、図２〜図１０に示した装填された記録メディア３２のメディア判別に従い、記録モード選択を自動化および容易にする各システムが適用できることを示している。
【００７０】
ここで、前記第１および第２の入力信号に対する動作は、先に記載したカメラ入力信号とほぼ同じ動作であるので詳細説明は省略する。第３の入力信号である映像／音声デジタル入力信号は、一般に圧縮された音声と映像の多重信号である。本入力信号を音声／映像信号の圧縮／伸張処理回路４７にて、ビデオフォーマットまたはビデオレコーディングフォーマットへの変換や、ビットレート変換による可変ビットレートまたは固定ビットレートへの変換と高画質高ビットレートおよび標準低ビットレートへの変換や、必要に応じて動画像および静止画像への変換を行う。これらの変換手段は、上記音声／映像信号の圧縮／伸張処理回路４７にて入力信号を一旦伸張した後、再度圧縮処理して実現しても良い。これらの変換処理のパラメータを図２〜図１０に示す各手段にて、制限することで記録モードの設定を自動化してより簡単な操作で行うことができる。
【００７１】
さらに、上記第１から第３の入力信号を一旦、音声／映像信号の圧縮／伸張処理回路４７を介してハードディスクドライブ（ＨＤＤ）５２に一時記憶して置き、必要に応じて、これらの情報をディスクメディア３２へ保存することが考えられる。ハードディスクドライブ（ＨＤＤ）５２内の信号は、一般に前記第３に入力信号と同様の形式で記録されていることが多く、上記第３の入力信号と同様の処理を施すことにより本第４の入力信号についても、前記図２〜図１０に示す各手段にて、各記録メディアに応じて記録パラメータを制限することで記録モードの設定を自動化してより簡単な操作で行うことができる。
なお、以上の説明から明らかなように、本発明による実施例は、一例として以下の構成を含む。
複数種類の記録媒体の装填を受け付ける映像記録装置において、映像信号の記録フォーマット処理を行う記録データ処理手段と、装填された記録媒体を判別する媒体判別手段と、前記媒体判別手段に応じて、前記記録データ処理手段の記録フォーマットを変更するデータ処理変更手段とを設けたものである。
また、前記データ処理変更手段は、ビデオフォーマットとビデオレコーディングフォーマットを切り換える様にしたものである。
さらに、前記媒体判別手段が１回のみの追記型記録メディアと判別した時に、前記データ処理変更手段はビデオフォーマットに切り換えるようにしたものである。
さらに、前記媒体判別手段が書き換え可能な書換型記録メディアと判別した時に、前記データ処理変更手段はビデオレコーディングフォーマットに切り換えるようにしたものである。
また、複数種類の記録媒体の装填を受け付ける映像記録装置において、映像信号をデジタル的にデータ圧縮する記録データ処理手段と、装填された記録媒体を判別する媒体判別手段と、前記媒体判別手段に応じて、少なくとも前記記録データ処理手段の出力データレートを切り換えるデータレート設定手段と設けたものである。
また、前記記録データ処理手段は、少なくとも固定ビットレートと可変ビットレートを有し、前記データレート設定手段によって固定ビットレートと可変ビットレートを切り換えるようにしたものである。
さらに、前記媒体判別手段が１回のみの追記型記録メディアと判別した時に、前記記録データレート設定手段は固定ビットレートに切り換えるようにしたものである。
さらに、前記媒体判別手段が書き換え可能な書換型記録メディアと判別した時に、前記記録データレート設定手段は可変ビットレートに切り換えるようにしたものである。
また、前記記録データ処理手段は、少なくとも標準画質の第１のビットレートと第１のビットレートより大きい高画質な第２のビットレートを有し、前記データレート設定手段によって第１のビットレートと第２のビットレートを切り換えるようにしたものである。
さらに、前記媒体判別手段が１回のみの追記型記録メディアと判別した時に、前記記録データレート設定手段は第１のビットレートに切り換えるようにしたものである。
さらに、前記媒体判別手段が書き換え可能な書換型記録メディアと判別した時に、前記記録データレート設定手段は第２のビットレートに切り換えるようにしたものである。
また、複数種類の記録媒体の装填を受け付ける映像記録装置において、映像信号をデジタル的に静止画圧縮または動画圧縮する記録データ処理手段と、静止画記録または動画記録を操作する操作入力手段と、装填された記録媒体を判別する媒体判別手段と、前記媒体判別手段に応じて、少なくとも前記操作入力手段の静止画記録または動画記録の操作の一方を禁止する制限手段を設けたものである。
また、前記制限手段の動作時に、制限する静止画記録または動画記録が分かるように表示する表示手段を設けたものである。
また、前記媒体判別手段が１回のみの追記型記録メディアと判別した時に、前記制限手段は前記記録データ処理手段の静止画圧縮動作を禁止するようにしたものである。
また、複数種類の記録媒体の装填を受け付ける映像記録装置において、映像信号を少なくともビデオフォーマットまたはビデオレコーディングフォーマットの記録フォーマットに変換する記録データ処理手段と、前記記録データ処理手段の記録フォーマットを指定するモード選択手段と、装填された記録媒体を判別する媒体判別手段と、前記媒体判別手段に応じて、前記モード選択手段の一部を制限する制限手段とを設けたものである。
また、前記媒体判別手段が１回のみの追記型記録メディアと判別した時に、前記制限手段は前記記録データ処理手段のビデオレコーディングフォーマットの選択を禁止するようにしたものである。
また、複数種類の記録媒体の装填を受け付ける映像記録装置において、映像信号を少なくとも固定ビットレートまたは可変ビットレートのデータ圧縮信号に変換する記録データ処理手段と、前記記録データ処理手段の固定ビットレートまたは可変ビットレートを指定するモード選択手段と、装填された記録媒体を判別する媒体判別手段と、前記媒体判別手段に応じて、前記モード選択手段の一部を制限する制限手段とを設けたものである。
また、前記媒体判別手段が１回のみの追記型記録メディアと判別した時に、前記制限手段は前記記録データ処理手段の可変ビットレートの選択を禁止するようにしたものである。
また、複数種類の記録媒体の装填を受け付ける映像記録装置において、映像信号を少なくとも標準画質の第１のビットレートまたは第１のビットレートより大きい高画質な第２のビットレートのデータ圧縮信号に変換する記録データ処理手段と、前記記録データ処理手段の第１のビットレートまたは第２のビットレートを指定するモード選択手段と、装填された記録媒体を判別する媒体判別手段と、前記媒体判別手段に応じて、前記モード選択手段の一部を制限する制限手段とを設けたものである。
また、前記媒体判別手段が１回のみの追記型記録メディアと判別した時に、前記制限手段は前記記録データ処理手段の第２のビットレートの選択を禁止するようにしたものである。
また、上記のいずれかひとつの記録再生装置の前記映像信号は撮像センサーとその出力信号を処理する信号処理回路から成るカメラ部から得られるカメラ一体型の装置とするものである。
また、上記のいずれかひとつの記録再生装置の前記映像信号はテレビ放送信号とするものである。
また、上記のいずれかひとつの記録再生装置の前記映像信号は他の記録デジタルメディアから再生した映像信号とするものである。
また、以上の説明から明らかなように、本発明による実施例は、一例として以下の効果を含む。
カメラ録画時などの記録フォーマットの選択が、装填する記録メディアに応じて、より簡単な操作で行えると言う効果を有する。
また、カメラ録画時などの記録画像の圧縮方法（固定および可変ビットレート）や画質（平均ビットレート）の選択が、装填する記録メディアに応じて、より簡単な操作で行えると言う効果を有する。
また、カメラ録画時などの記録画像の動画撮影や静止画撮影の選択が、装填する記録メディアに応じて、より簡単な操作で行えると言う効果を有する。
【図面の簡単な説明】
【００７２】
【図１】本発明の一実施例の回路ブロック図である。
【図２】本発明の一実施例の主要部の動作フローチャート図である。
【図３】本発明の一実施例の主要部の他の動作フローチャート図である。
【図４】本発明の一実施例の主要部の他の動作フローチャート図である。
【図５】本発明の一実施例の主要部の他の動作フローチャート図である。
【図６】本発明の一実施例の主要部の他の動作フローチャート図である。
【図７】本発明の一実施例の主要部の他の動作フローチャート図である。
【図８】本発明の一部の具体的な１実施例を示す回路ブロック図である。
【図９】本発明の一部の具体的な１実施例を示す表示画面図である。
【図１０】本発明の一部の具体的な１実施例を示す他の表示画面図である。
【図１１】本発明の第２の一実施例の回路ブロック図である。
【符号の説明】
【００７３】
１…マイク、２…オーディオ入力処理回路、５…レンズユニット、６…撮像センサー（ＣＣＤ）、７…カメラ映像信号処理回路、８…映像／音声の圧縮／伸張処理回路、９…映像表示／出力処理回路、１０…表示手段（ＬＣＤ）、１１…レンズユニット５のドライバ、１２…デジタル音声／映像入力端子、１５…Ｄ−ＲＡＭ、１６…制御マイコン、１８…操作スイッチ（ＳＷ）、１９…インターフェース回路、２４…信号／制御処理回路、２５…Ｄ−ＲＡＭ、２８…制御マイコン、２９…記録回路、３０…再生回路、３１…ピックアップ、３２…ディスクメディア、３３…スピンドルモータ、３４…送りモータ、３５…アクチュエータドライバ、３７…「録画」ボタン、３８…「フォト」ボタン、３９、４０…表示手段（ＬＥＤ）、４３…音声入力端子、４４…映像入力端子、４５…チューナ、４６…映像入力処理回路、４７…音声／映像信号の圧縮／伸張処理回路、４８…映像出力処理回路、４９…操作スイッチ、５０…制御マイコン、５１…インターフェース回路、５２…ハードディスクドライブ（ＨＤＤ）。
【図１】
0004438889.tif 000005
【図２】
0004438889.tif 000006
【図３】
0004438889.tif 000007
【図４】
0004438889.tif 000008
【図５】
0004438889.tif 000009
【図６】
0004438889.tif 000010
【図７】
0004438889.tif 000011
【図８】
0004438889.tif 000012
【図９】
0004438889.tif 000013
【図１０】
0004438889.tif 000014
【図１１】
0004438889.tif 000015